(57)【要約】【課題】バッグ６の構成部材である補強フレーム６１に対して直接的に対面取付けできるようにし、作業者が把手６４やフック引っ掛け用リンク等の部材を取り付けるのと同様の作業として、バッグ本来の縫製作業の一連の工程中に組み込むことができ、特異な工程が殆ど不要となり作業工数の削減と簡略化が図られ、低コストにて組付できる。【解決手段】バッグ等の携帯物に取り付けられる吊下げ帯収納装置１のケース体３に、バッグ６内部の上側隅部で、その上面と側面の夫々に跨らして面当てされる取付片３１と３２を設け、吊下げ帯収納装置１を、前記取付片３１，３２を介して前記上側隅部に対面させて取り付けする。【選択図】　　　　図２
2004008532.tif 000002
【特許請求の範囲】
【請求項１】
ショルダーバンド等の吊下げ帯を引き込み収納する吊下げ帯収納機構を備え、バッグ等の携帯物に取り付けられる吊下げ帯収納装置であって、該吊下げ帯収納装置を、前記携帯物内部の上側角隅部に設ける一方、前記携帯物の角隅部には、前記吊下げ帯の外部への引出口を形成せしめ、該引出口より繰り出された吊下げ帯を、携帯物上面方向と側面方向への折り返しが略均等になされるべく構成してあることを特徴とする吊下げ帯収納装置およびその携帯物。
【請求項２】
バッグ等の携帯物に取り付けられる吊下げ帯収納装置であって、該吊下げ帯収納装置は、操作手段を介してショルダーバンド等の吊下げ帯を引き込み収納する吊下げ帯収納機構と、該吊下げ帯収納機構を収容するケース体とを備えおり、該ケース体に、前記携帯物内部の上側隅部で、その上面と側面の夫々に跨らして面当てされる取付片を設け、吊下げ帯収納装置を、前記取付片を介して前記上側隅部に対面させて取り付けすることを特徴とする吊下げ帯収納装置およびその携帯物。
【請求項３】
請求項２において、前記携帯物には、吊下げ帯収納装置の対面領域に前記操作手段を外部から操作する連通孔と、吊下げ帯の外部への引出口を形成せしめたことを特徴とする吊下げ帯収納装置およびその携帯物。
【請求項４】
請求項２乃至３において、前記ケース体は、前記取付片間に上面と側面に跨って対面開口する収容部が設けられ、前記吊下げ帯収納機構は、該収容部に嵌装されるよう構成されることを特徴とする吊下げ帯収納装置およびその携帯物。
【請求項５】
請求項４において、前記吊下げ帯収納機構の前記ケース体への収容は、吊下げ帯収納機構のブラケットに設けた係止部を、前記取付片側の開口端縁に係止させ、これを支点として円周回りに嵌装可能に構成してあることを特徴とする吊下げ帯収納装置およびその携帯物。
【請求項６】
請求項１乃至５において、前記携帯物に、吊下げ帯先端のフック部を掛着するリング体を携帯物一側面と他側面にそれぞれ設け、前記引き出された吊下げ帯をに振り分けして、携帯物を縦姿勢と横姿勢の何れかの姿勢を選択的に使用可能に構成したこと特徴とする吊下げ帯収納装置およびその携帯物。
【請求項７】
請求項１乃至６において、前記携帯物の側面には、吊下げ帯引き込み収納れた際に、その余端部として収納されないショルダーパットを格納するパットホルダーが設けられていること特徴とする吊下げ帯収納装置およびその携帯物。
【請求項８】
請求項１乃至７において、前記吊下げ帯収納装置は、少なくとも四周面の上面及び側面に跨って設けられる補強フレームに取り付けされ、前記引出し口は、補強フレームに穿設された吊下げ帯ガイド孔により形成されていること特徴とする吊下げ帯収納装置およびその携帯物。
【請求項９】
請求項８において、前記補強フレームには、前記吊下げ帯を引出し・引込み操作する操作手段を、携帯物外部より操作可能に切欠きせしめた切欠き孔が設けられていること特徴とする吊下げ帯収納装置およびその携帯物。
【発明の詳細な説明】
【０００１】
【発明の属する技術分野】
本発明は、バッグ、カメラ、ボックス等の携帯物に取り付けられるショルダーバンド、ストラップ等の吊下げ帯を引き込み収納する吊下げ帯収納装置、および吊下げ帯収納装置が設けられた携帯物に関する。
【０００２】
【従来の技術】
一般に、携帯物のなかには、例えば、手提カバンやスポーツバッグの如く、ショルダーバンド等の吊下げ帯を備えるものがある。この種のショルダーバンドは、大きい荷物や重い荷物を長時間持ち運ぶことを可能にする許りでなく、荷物を運びながら両手が使える等、その使い勝手の良さから種々の用途に採用されており、例えば、バッグにおいては、把手とショルダーバンドとを併設し、状況に応じて何れかを選択的に使用可能な２ＷＡＹ方式を採用しているものが一般的である。しかしながら、上記ショルダーバンドは、通常、可撓性を有する長尺な帯状体によって形成されるため、不使用時にはバッグから垂れ下がってしまい、そのため、持ち運びの際に突起物等に引掛けたり、バッグを地面等に置いた際に汚してしまう等の欠点を有している。
【０００３】
この様な問題に対処するために、出願人は、特許第２７２９４０８号公報に示される吊下げ帯収納装置を過去に提案した。この吊下げ帯収納装置は、ショルダーバンドの一端側を引込収納する引込み手段と、ショルダーバンドの移動を規制するロック手段とを備えるため、ショルダーバンドの要・不要に応じた引出し・引込み操作が可能になる。つまり、不使用時においては、ショルダーバンドを吊下げ帯収納装置に引込み収納することにより、バッグからショルダーバンドが垂れ下がることを回避できるので、持ち運びの際に突起物等に引掛けたり、バッグを地面等に置いた際に汚してしまう等の上記従来の欠点を解消することが可能になる。
【０００４】
しかしながら、上記のような吊下げ帯収納装置をバッグに設けるには、通常のバッグ制作工程に、固有の装置取付け工程を組み込まなければならない。バッグの制作においては、布や皮製品であるため縫製手作業により形を整えながら行われている実情があり、特に、従来のものにあっては、別途取付けフレームをバッグに取付け、これに収納装置を装着するようにしていたため、取付け構造が複雑となり、制作作業者は、バッグの制作とは全く無関係な孔開け作業や取付け作業を強いられることになり、手慣れたバッグ縫製作業以上に制作時間を要してしまい、バッグ自体の価格で吸収できないほどに制作コストが嵩み、制作業者側から受注が敬遠されるなど製品化を妨げる要因となっていた。
【０００５】
一方、バッグの中には、横向きと縦向きの姿勢で使用可能になっていているものがあるが、これらバッグのショルダーバンドは、常時使用される一方の横姿勢のみに用いることはできても、他方の縦姿勢においては使用することができず、夫々に使い分けできないものであった。
【０００６】
【発明が解決しようとする課題】
本発明は、上記の如き問題点を一掃すべく創案されたものであって、吊下げ帯収納装置を携帯物に取り付けしたものでありながら、バッグ自体の構成部材として採用されている補強フレームが、上面および両側面に跨って取り付けられ、かつバッグ自体の制作工程に組み込まれる部材であることに着目し、吊下げ帯収納装置固有の取付け基板を用いることなく、この補強フレームに対して直接的に対面取付けできるようになり、結果、バッグコーナー部に、吊下げ帯の引出口や操作手段への連通孔を近接形成し得て、これらを補強フレームに設けることが可能となり、取付け構成が簡素化され、作業者が把手やフック引っ掛け用リンク等の部材を取り付けるのと同様の作業として、バッグ本来の縫製作業の一連の工程中に組み込むことができ、特異な工程が殆ど不要となり作業工数の削減と簡略化が図られ、低コストにて組付できる。さらに、縦向き・横向きの２面のバッグ姿勢で使用できるタイプのものにも、何れの使い勝手においても吊下げ帯を振り分けて使用することができる吊下げ帯収納装置およびその携帯物を提供することを目的とする。
【０００７】
【課題を解決するための手段】
上記課題を解決するために本発明の吊下げ帯収納装置およびその携帯物は、ショルダーバンド等の吊下げ帯を引き込み収納する吊下げ帯収納機構を備え、バッグ等の携帯物に取り付けられる吊下げ帯収納装置であって、該吊下げ帯収納装置を、前記携帯物内部の上側角隅部に設ける一方、前記携帯物の角隅部には、前記吊下げ帯の外部への引出口を形成せしめ、該引出口より繰り出された吊下げ帯を、携帯物上面方向と側面方向への折り返しが略均等になされるべく構成してあることを特徴とするものである。
また、上記課題を解決するために本発明の吊下げ帯収納装置およびその携帯物は、バッグ等の携帯物に取り付けられる吊下げ帯収納装置であって、該吊下げ帯収納装置は、操作手段を介してショルダーバンド等の吊下げ帯を引き込み収納する吊下げ帯収納機構と、該吊下げ帯収納機構を収容するケース体とを備えおり、該ケース体に、前記携帯物内部の上側隅部で、その上側面と側面の夫々に跨らして面当てされる取付片を設け、吊下げ帯収納装置を、前記取付片を介して前記上側隅部に対面させて取り付けすることを特徴とするものである。
【０００８】
【発明の実施の形態】
次に、本発明の複数の実施形態を図面に基づいて説明する。図１は吊下げ帯収納装置の斜視図、図２は吊下げ帯収納装置を装着したバッグの内観斜視図、図３は吊下げ帯収納装置の取り付け状態を示す要部断面図である。これらの図に示すように、吊下げ帯収納装置１は、吊下げ帯収納機構２と該吊下げ帯収納機構を収容するケース体３とからなる。吊下げ帯収納機構２は、樹脂成形された左右一対のブラケット２１、２１間に軸架された巻取軸２２を有しており、その一端がブラケット２１より突出してゼンマイバネ２３に連結される。なお、ゼンマイバネ２３は、一方のブラケット２１の外側に一体形成された格納部２１１に装着されている。
【０００９】
２４は巻取軸２２に一体的に設けられる巻取ドラムであって、該巻取ドラム２４は、前記ゼンマイバネ２３により常時巻取り方向に付勢され、ショルダーバンド４を巻取りおよび繰り出し自在に巻装している。前記巻取ドラム２４は、全体がＨ型形状に樹脂成形され左右に回転部２４１を有しており、この回転部２４１の外周は、所定間隔を存して設けられる凹部２４２、２４２・・・により歯車状に形成されている。
【００１０】
一方、５は操作手段であって、該操作手段５は、前記左右の凹部２４２、２４２にそれぞれ係脱する下向きコ字状に形成され、バネ５５によって常時凹部２４２に係合するよう付勢されたラッチ体（ラッチ係）５１と、該ラッチ体５１に一体成形されたレバー部５２と、携帯物としてのバッグ６の外側面に取り付けられる操作レバー５３とにより構成される。
【００１１】
前記ラッチ体５１は、その左右両側部においてブラケット２１に回転可能に軸支され、常時ており、前記レバー部５２前記レバー部５２の先端には、ピン孔５２１が形成される一方、前記操作レバー５３の下面部には、ピン孔５３１を有する連結片５３２が形成されており、両者は軸ピン５４により回転可能に軸着されて連結される。そして、前記操作レバー５３を指先等でスライド操作することで、ラッチ体５１がバネ５５に抗して回動し、凹部２４２との係合が解離され、回転規制された巻取ドラム２４にショルダーバンド４が自動的に巻取られるようになっている。つまり、ショルダーバンド４が引込み収納された状態で操作レバー５３を指先でスライド操作すると、ラッチ体５１と凹部２４２との係合解除に伴ってショルダーバンド４の引出し操作が許容され、この状態でショルダーバンド４を所望の長さまで引出すことができる。その後、前記操作レバー５３から指先を離すと、操作レバー５３が元の位置にスライド復帰し、再びラッチ体５１と凹部２４２とが係合するのに伴い、ショルダーバンド４の引出しおよび引込みが規制され、ショルダーバンド４が使用可能になる。一方、ショルダーバンド４が引出された状態で操作レバー５３をスライド操作すると、ラッチ体５１と凹部２４２との係合解除に伴い、ショルダーバンド４がゼンマイバネ２３の付勢力で自動的に引込み収納されることになる。
【００１２】
前記ケース体３は、全体が円筒状でバッグ６のコーナー部に対面する周面が開口された収容部（ケース部）と、その開口両端縁から延出する水平取付片３１と垂直取付片３２が樹脂部材により一体成形される。前記ブラケット２１は、ケース体３の円筒形状に略適合した形状となっており、ブラケット２１を、係止部２１２，２１２を前記ケース体３の下側開口両端縁に係止するよう嵌装し、この係止部２１２を支点として円周回りに回転しながら収容できるようになっている。そして、前記レバー部５２に設けられた突起（図示しない）に仮組付けされた前記バネ５５の先端が、ケース体３に形成された浅い凹溝３４に容易に嵌入係止されると共に、所定厚さを有するブラケット２１の端面が、ケース体３に形成された係合溝３３、３３にしっかりと係止され、ビス３５により取着される。
【００１３】
次に、吊下げ帯収納装置１のバッグ６への取付け構成について説明する。バッグ６は、全体の基礎形状を成す板状の樹脂製補強フレーム６１が四周面に設けられ、それぞれ所定の布地、皮地等の内装地６２、外装地６３、把手６４等が設けられて構成されている。
吊下げ帯収納装置１は、前記取付片３１、３２を介して、バッグ６内部の上側角隅部で前記補強フレーム６１の上面及び側面に跨って面当て取付けされる。つまり、吊下げ帯収納装置１のバッグ６に対面する側が、バッグ６の湾曲したコーナー形状に略適合した逆Ｌ字形状に形成されており、また、補強フレーム６１には、予め前記レバー部５２と前記連結片５３２とが連結される部位に、操作レバー５３がスライド可能な移動範囲の大きさで切欠き孔６１１が穿設されると共に、ショルダーバンド４を案内するガイド孔６１２が穿設されている。
このガイド孔６１２は、断面視）（状のラッパ型孔形となるよう面取りされていて、丁度補強フレーム６１の上面と側面とが直交するＲ状曲面となる４５゜の角隅部に設けられていて、上面方向と側面方向に略均等の折り返しができるようになっている。なお、操作レバー５３を別途設けるようにしたがレバー部５２を切欠き孔６１１より外部に突出させて、レバー部５２を直接操作するようにしても良く、操作レバー５３をボタン式にしても良い。
【００１４】
７は前記操作レバー５３の下面部に設けられる樹脂製スライド板で、該スライド板７は、前記取付片３１とともにリベット（鋲）９により前記補強フレーム６１を挟んで取着されている。前記取付片３２はリベット９により補強フレーム６１に取着されるが、この場合、従来のショルダーバンド４の引っ掛けリング（図示しない）を止めていたリベット９を用いれば良く、リベット止め作業は前記取付片３１についてのみリベットが追加されるだけである。
８は前記ガイド孔６１２部に縫着される軟質樹脂などの補強パットであって、該補強パット８には、前記ガイド孔６１２より案内されたショルダーバンド４の引出し口８１が設けられ、ショルダーバンド４の引き出し・引き込みによる摺接抵抗により外装地６３の解れなどを防止している。
６５は、ショルダーバンド４を引き込み収納した際に、ショルダーバンド４の先端に設けられたフック（図示しない）と共に、ショルダーパット４１を差込収容しておくホルダーである。
【００１５】
叙述の如く構成された本発明の実施形態において、バッグ６等の携帯物に取り付けられる吊下げ帯収納装置１であって、該吊下げ帯収納装置１は、操作手段５を介してショルダーバンド４を引き込み収納する吊下げ帯収納機構２と、該吊下げ帯収納機構２を収容するケース体３とを備えおり、該ケース体３に、前記バッグ内部の上側隅部で、その上面と側面の夫々に跨らして面当てされる取付片３１、３２を設け、吊下げ帯収納装置１を、前記取付片３１，３２を介して前記上側隅部に対面させて取り付けするようになっている。このため、吊下げ帯収納装置１をバッグ６に取り付けしたものでありながら、バッグ６自体の構成部材として採用されている補強フレーム６１が、上面および両側面に跨って取り付けられ、かつバッグ６自体の制作工程に組み込まれる部材であることに着目し、従来のように吊下げ帯収納装置固有の取付け基板を用いることなく、この補強フレーム６１に対して直接的に対面取付けできるようになり、結果、バッグコーナー部となる補強フレーム６１に、ショルダーバンド４の引出口８１に連通するガイド孔６１２や操作手段５（レバー部５２と前記連結片５３２とが連結される部位）の外部へ連通する切欠き孔６１１を近接形成することが可能となり、取付け構成が極めて簡素化される。
【００１６】
つまり、補強フレーム６１に、把手６４やショルダーバンド４の引っ掛けリング（図示しない）などの付属部材をリベット止めするリベット孔と同様に、予め切欠き孔６１１やガイド孔６１２を穿設しておくことで、内装地６２や外装地６３を縫製作業の過程で、全体の布寄れ等を調整しながらバッグ本体を形成した後、前記リベット孔位置の内装地６２や外装地６３をカッター等で切断し、前記の付属部材をリベット止めする組付け作業と同様に、切欠き孔６１１やガイド孔６１２部分にもにも切り込みを入れる作業手順にて、吊下げ帯収納装置１を取付けすることができる。
したがって、作業者が把手６４やショルダーバンド４先端のフックを引っ掛けるリング等の部材を取り付けるのと同様の作業として、バッグ本来の縫製作業の一連の工程中に組み込むことができ、特異な工程が殆ど不要となり作業工数の削減と簡略化が図られ、低コストにて組付できる。
【００１７】
一方、吊下げ帯収納装置１を、前記バッグ６内部の上側角（コーナー）隅部に設ける一方、前記バッグ６の角隅部には、前記ショルダーバンド４の外部への引出口８１を形成せしめ、該引出口８１より繰り出されたショルダーバンド４を、バッグ６の上面方向と側面方向への折り返しが略均等になされるべく略４５゜の位置から引出し・引き込みされるよう構成してあるため、縦向き・横向きの２面のバッグ姿勢で使用できるタイプのものにも、何れの使い勝手においてもショルダーバンド４を振り分けて使用することができる。つまり、従来この様なバッグについては、把手６４が側面にも取り付けられてはいるものの、前記バンド係止リングは、縦向き姿勢となる上面側にのみ向けて取り付けられていたため、ショルダーバンド４は、横向き姿勢において使用できないものであった。しかしながら、前記バンド係止リングを側面下部または底面に設けておくことができるようになり、ショルダーバンド４の先端フックを、それぞれの姿勢において選択的に使用しても、何れの姿勢による使われ勝ってにおいても前記引出口８１に加わるバッグ荷重を均等化することができ、ショルダーバンド４の出し入れに伴う摩擦抵抗による解れ（傷み）や、繰り出されて巻径が小さくなった状態での取り合いを良好なものとでき、バッグが斜めにショルダーされた状態でもその付け根となる引出口８１およびその近傍における負荷や摩擦による損傷を極力回避でき、吊下げ帯収納装置１への恒久性を高めることができる。
【００１８】
また、前記バッグ６には、吊下げ帯収納装置１の対面領域に前記操作手段５を外部から操作する連通孔６１１と、ショルダーバンド４の外部への引出口８１（ガイド孔６１２）を形成せしめたことにより、吊下げ帯収納装置１の対面領域を直接的にバッグコーナー部に当接させた取付けが行える結果、当接面域を開口させることができ、かつ閉鎖蓋も不必要となって部品点数の削減が図られると共に、バッグ内部と外部の取り合い構成、即ち、前記レバー部５２と操作レバー５３との連結構造と、ショルダーバンド４の巻径変位との関係において、引出口８１との良好な摺動抵抗構成を両立して構成の簡素化が図られる。
【００１９】
また、前記ケース体３は、前記取付片３１，３２間に上面と側面に跨って対面開口する収容部（ケース部）が設けられ、前記吊下げ帯収納機構２は、この収容部に嵌装される構成となっており、収容された吊下げ帯収納機構２をバッグコーナー部に直接対面当接することができ、取り合い構成を最適なものとし得るばかりか、ケース外観をスッキリとした最小形状とすることができる。
【００２０】
また、前記吊下げ帯収納機構２の前記ケース体３への収容は、吊下げ帯収納機構２のブラケット２１に設けた係止部２１２を、前記取付片３２側の開口端縁に係止させ、これを支点として円周回りに嵌装可能に構成してあるため、バネ５５の凹溝３４とのセッティングやブラケット２１端面の係合溝３３、３３との係止がカセット式に確実かつワンタッチで行え、セッティング作業が容易である。
【００２１】
また、前記バッグ６の側面には、ショルダーバンド４が引き込み収納れた際に、その余端部として収納されないショルダーパット４１を格納するパットホルダー６５が設けられていることにより、ショルダーバンド４を使用しない状態であってもショルダーパット４１がブラブラすることがなく、障害物に不用意に引っ掛けてしまうことを回避できる。
【００２２】
また、前記吊下げ帯収納装置１は、少なくとも四周面の上面及び側面に跨って設けられる補強フレーム６１に取り付けされ、前記引出し口８１は、補強フレーム６１に穿設された吊下げ帯ガイド孔６１２により形成されており、また、作手段５を、バッグ外部より操作可能に切欠きせしめた切欠き孔６１１が設けられているため、補強フレーム６１を吊下げ帯収納装置１の取付け基板として兼用することができる。
【００２３】
【発明の効果】
上記のように本発明は、吊下げ帯収納装置１を携帯物に取り付けしたものでありながら、バッグ６自体の構成部材として採用されている補強フレーム６１が、上面および両側面に跨って取り付けられ、かつバッグ自体の制作工程に組み込まれる部材であることに着目し、吊下げ帯収納装置１固有の取付け基板を用いることなく、この補強フレーム６１に対して直接的に対面取付けできるようになり、結果、バッグコーナー部に、吊下げ帯４の引出口８１や操作手段５への連通孔６１１を近接形成し得て、これらを補強フレーム６１に設けることが可能となり、取付け構成が簡素化され、作業者が把手６４やフック引っ掛け用リンク等の部材を取り付けるのと同様の作業として、バッグ本来の縫製作業の一連の工程中に組み込むことができ、特異な工程が殆ど不要となり作業工数の削減と簡略化が図られ、低コストにて組付できる。さらに、縦向き・横向きの２面のバッグ姿勢で使用できるタイプのものにも、何れの使い勝手においても吊下げ帯を振り分けて使用することができる格別の効果を奏するものである。
【図面の簡単な説明】
【図１】吊下げ帯収納装置の全体機構を示す斜視図である。
【図２】吊下げ帯収納装置をバッグ内部に取付けした状態を示す斜視図である。
【図３】吊下げ帯収納装置の取付け構成を示す平面図である。
【符号の説明】
１　　　吊下げ帯収納装置
２　　　吊下げ帯収納機構
２１　　ブラケット
２１１　格納部
２１２　係止部
２４１　回転部
２４２　凹部
２２　　巻取軸
２３　　ゼンマイバネ
２４　　巻取ドラム
３　　　ケース体
３１　　取付片
３２　　取付片
３３　　係合溝
３４　　凹溝
３５　　ビス
４　　　ショルダーバンド
４１　　ショルダーパット
５　　　操作手段
５１　　ラッチ体
５２　　レバー部
５２１　ピン孔
５３　　操作レバー
５３１　ピン孔
５３２　連結片
５４　　軸ピン
５５　　バネ
６　　　バッグ
６１　　補強フレーム
６１１　連通孔
６１２　ガイド孔
６２　　内装地
６３　　外装地
６４　　把手
６５　　パットホルダー
７　　　スライド板
８　　　補強パット
８１　　引出口
９　　　リベット
【図１】
2004008532.tif 000003
【図２】
2004008532.tif 000004
【図３】
2004008532.tif 000005